【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
「電話名解決システム」を含み、
通信中に、電話番号に対応するユーザー名を解析し、又は、ユーザー名に対応する電話番号を解析し、
前記「電話名解決システム」に最初にアクセスして通信接続する、社交の通信システムであって、
前記「電話名解決システム」は、編集可能の「ユーザー名構成単位」を含み、
各ユーザーによって1つ以上の自己電話番号の前記「ユーザー名構成単位」が作成され、
前記「ユーザー名構成単位」は、1つ以上の編集項目を含み、
前記編集項目それぞれは、1つ以上の属性項目を含み、
前記「電話名解決システム」は、ユーザー毎の前記「ユーザー名構成単位」を収集し、「ユーザー名とユーザー電話番号の比較表」を生成し、
前記「電話名解決システム」は、「ユーザーID管理構成単位」、「ユーザーの電話番号構成単位」、「ユーザー装置番号構成単位」、前記「ユーザー名構成単位」、「ユーザー名検出構成単位」、前記「ユーザー名とユーザー電話番号の比較表」、「通話管理構成単位」、および「同期構成単位」を含み、
前記「電話名解決システム」は、「通信接続情報」を取り入れ、
前記「通信接続情報」は、1つ以上の編集可能の「要求ユーザー情報」、1つ以上のあつらえの「通信接続タイプ」、および1つ以上の編集可能の「対象ユーザー情報」を含む、
社交の通信システム。
【請求項２】
前記「電話名解決システム」は、前記「通信接続情報」を取り入れ、
前記「電話名解決システム」は、前記対象ユーザーがすべてデジタル数字であるかを検出し、
前記対象ユーザーがすべてデジタル数字であれば、通信接続を設定するために、前記デジタル数字を使用し、
前記対象ユーザがすべてデジタル数字というわけではない場合、前記「ユーザー名とユーザー電話番号の比較表」に基づいて、電話番号に対応する対象ユーザー名を解析し、
通信接続を設定するために、対応する電話番号を使用する、
という通信の手順を含む、
請求項１に記載の社交の通信システム。
【請求項３】
前記「電話名解決システム」は、前記「通信接続情報」を取り入れ、
前記「電話名解決システム」は、要求ユーザーが要求ユーザーの電話番号以外のユーザー定義の「通信接続要求情報」の項目を持っているかを検出し、
要求ユーザーがユーザー定義の「通信接続要求情報」の項目を持っていない場合、電話番号を使って直接通信接続を設定し、
前記「電話名解決システム」は、要求ユーザーが前記「通信接続要求情報」の項目のデフォルト設定を持っているかを検出し、
要求ユーザーがデフォルト設定の項目を持っている場合、前記「通信接続要求情報」の項目のデフォルト設定をロードし、
要求ユーザーがデフォルト設定の項目を持っていない場合、前記「通信接続要求情報」の項目を追加し、要求ユーザーが個別に通信接続要求のために設定し、
通信接続中、前記「通信接続要求情報」の項目が追加されたすべてのユーザーを表示する、
という通信の手順を含む、
請求項１に記載の社交の通信システム。
【請求項４】
前記「要求ユーザー情報」は、要求ユーザー名、要求ユーザーの電話番号、要求ユーザーの写真、要求ユーザーのステータス、要求ユーザーの場所、要求ユーザーの通信状態、要求ユーザーの識別情報の検証情報、要求ユーザーの年齢、要求ユーザーの性別、及び要求ユーザーの前記「ユーザー名構成単位」で編集可能なすべての項目または選択した項目を含み、
前記「対象ユーザー情報項目」は、対象ユーザー名、対象ユーザーの電話番号、対象ユーザーの写真、対象ユーザーのステータス、対象ユーザーの場所、対象ユーザーの通信状態、対象ユーザーの識別情報の検証情報、対象ユーザーの年齢、対象ユーザーの性別、及び対象ユーザーの前記「ユーザー名構成単位」で編集可能なすべての項目または選択した項目を含み、
前記「通信接続タイプ」は、電話の呼び出し、メッセージ、ビデオ通話、テキストチャット、ボイスチャット、マルチメディア通信、検索ユーザー、及びビューユーザーの情報を含む、
請求項１に記載の社交の通信システム。
【請求項５】
前記「電話名解決システム」は、
前記「ユーザーID管理構成単位」を含み、ユーザーが真のアイデンティティ認証に合格したか失敗したかの情報を保存し、
通信接続を設定している間、要求ユーザーと対象ユーザーが真のアイデンティティ認証に合格したか失敗したかを検出し、
通信接続中、要求ユーザーと対象ユーザーにマークを追加し、要求ユーザーと対象ユーザーが真のアイデンティティ認証に合格したか否かを示す、
請求項１に記載の社交の通信システム。
【請求項６】
各ユーザーは自分の前記「ユーザー名構成単位」のプライバシー属性を設定することができ、または、それぞれ独自の前記「ユーザー名構成単位」の各編集可能な項目のプライバシー属性を個別に設定することができ、
前記プライバシー属性は、みんなに公開、みんなに閉鎖、接触する人々を選択して公開、ユーザが設定した条件に合う1以上の人に公開を含む、
請求項１に記載の社交の通信システム。
【請求項７】
前記「電話名解決システム」は、前記「通話管理構成単位」を含み、
前記「通話管理構成単位」は、前記「ユーザー名構成単位」それぞれに、通信開始、通信受け入れ、通信ブロック、通信切断、通信内容の保存といったオプションをあつらえ、
各オプションの時間範囲、場所の範囲、タイプのクラス、対象範囲、回数、及び頻度をあつらえ、
前記「通話管理構成単位」は、ブラックリストにドラッグされている又は設定数を超える人数の他のユーザーによって犯罪である報告されているユーザーの通信接続を全て一時停止又は完全にブロックし、
前記「通話管理構成単位」は、さらに自動で警察を呼び、ブラックリストにドラッグされた回数、犯罪であると報告されたこと、及び警察が呼ばれたことを、通信接続が一時停止又は完全にブロックされたユーザーの前記「ユーザーID管理構成単位」に記録する、
請求項１に記載の社交の通信システム。
【請求項８】
場所によって、年齢によって、性別によって、ユーザーID属性によって、ユーザーを検索する機能を有し、
ユーザが互いを評価して得点をつける機能を有する、
請求項１に記載の社交の通信システム。
【請求項９】
前記「電話名解決システム」は、前記「同期構成単位」を含み、
サーバー上の前記「ユーザ名構成単位」とユーザーの端末装置上の「ユーザ名構成単位」とが同期し、
サーバー上のユーザー連絡先アドレス帳とユーザーの端末装置上のユーザー連絡先アドレス帳とが同期し、
或るユーザーに公開状態が選択されている1以上の他のユーザに対して、前記或るユーザーのステータスを同期させ、前記或るユーザーの更新状況を受け入れるように設定する、
請求項１に記載の社交の通信システム。
【請求項１０】
前記社交の通信システムは、通信接続情報の標準プロトコルを備え、
前記「要求ユーザー情報」、前記「通信接続タイプ」、及び前記「対象ユーザー」の   「リッチコンテンツ」と 「マルチメディア・コンテンツ」を標準化し、
通信ネットワークと通信端末の両方で編集、送信、及び表示中に、標準フォーマットで統一されている前記「リッチコンテンツ」と 前記「マルチメディア・コンテンツ」を標準化する、
請求項１に記載の社交の通信システム。
【請求項１１】
前記社交の通信システムは、通信端末上に新しい連絡先アドレス帳ソフトウェアを備え、前記通信端末上に新しいダイヤルアップソフトウェアを備え、前記通信端末上に新しいメッセージソフトウェアを備え、
前記通信端末上の前記新しい連絡先アドレス帳ソフトウェアは、前記通信端末上の前記「ユーザ名構成単位」を編集、表示、保存する機能を備え、
前記通信端末上の前記新しい連絡先アドレス帳ソフトウェア、前記新しいダイヤルアップソフトウェア、及び前記新しいメッセージソフトウェアは、通信接続情報の標準プロトコルをサポートしており、
前記新しいメッセージソフトウェアは、各メッセージの公開範囲の設定と各メッセージの長さの設定をサポートしている、
請求項１に記載の社交の通信システム。